(57)【特許請求の範囲】
【請求項１】
ユーザの利用に供する携帯端末と、撮影結果をディジタルデータとして生成するディジタル撮影装置とを近距離無線通信により通信可能に接続し、前記ディジタル撮影装置で生成した撮影データを配信する情報配信システムであって、
前記ディジタル撮影装置は、前記撮影データを生成する撮影装置と、レリーズスイッチと、前記レリーズスイッチの押下タイミングで前記撮影装置から前記撮影データを取得する撮影データ取得手段と、前記レリーズスイッチの押下タイミングで前記ユーザの配信先となる端末へのネットワーク上の配信先情報の送信要求を前記携帯端末に送信し、当該送信要求を送信してから所定時間内に受信した前記配信先情報を取得する配信先情報取得手段と、前記配信先情報取得手段で取得した配信先情報に基づいて、前記撮影データ取得手段で取得した撮影データを配信する配信手段とを有し、
前記携帯端末は、前記配信先情報を記憶する記憶手段を有し、前記送信要求を受信したときは、前記配信先情報を前記記憶手段から読み出し、読み出した配信先情報を前記ディジタル撮影装置に送信することを特徴とする情報配信システム。
【請求項２】
ユーザの利用に供する携帯端末と、撮影結果をディジタルデータとして生成するディジタル撮影装置とを近距離無線通信により通信可能に接続し、前記ディジタル撮影装置で生成した撮影データを配信する情報配信システムであって、
前記撮影データを配信する配信端末を備え、
前記ディジタル撮影装置は、前記撮影データを生成する撮影装置と、レリーズスイッチと、前記レリーズスイッチの押下タイミングで前記撮影装置から前記撮影データを取得する撮影データ取得手段と、前記レリーズスイッチの押下タイミングで前記ユーザの配信先となる端末へのネットワーク上の配信先情報の送信要求を前記携帯端末に送信し、当該送信要求を送信してから所定時間内に受信した前記配信先情報を取得する配信先情報取得手段とを有し、前記配信先情報取得手段で取得した配信先情報及び前記撮影データ取得手段で取得した撮影データを前記配信端末に送信し、前記撮影データを配信するときは、前記撮影データの配信要求を前記配信端末に送信し、
前記携帯端末は、前記配信先情報を記憶する記憶手段を有し、前記送信要求を受信したときは、前記配信先情報を前記記憶手段から読み出し、読み出した配信先情報を前記ディジタル撮影装置に送信し、
前記配信端末は、前記配信先情報及び前記撮影データを受信し、前記配信要求を受信したときは、受信した配信先情報に基づいて前記受信した撮影データを配信する配信手段を有することを特徴とする情報配信システム。
【請求項３】
請求項１記載の情報配信システムにおけるディジタル撮影装置であって、
前記撮影データを生成する撮影装置と、レリーズスイッチと、前記レリーズスイッチの押下タイミングで前記撮影装置から前記撮影データを取得する撮影データ取得手段と、前記レリーズスイッチの押下タイミングで前記ユーザの配信先となる端末へのネットワーク上の配信先情報の送信要求を前記携帯端末に送信し、当該送信要求を送信してから所定時間内に受信した前記配信先情報を取得する配信先情報取得手段と、前記配信先情報取得手段で取得した配信先情報に基づいて、前記撮影データ取得手段で取得した撮影データを配信する配信手段とを備えることを特徴とするディジタル撮影装置。
【請求項４】
請求項２記載の情報配信システムにおけるディジタル撮影装置であって、
前記撮影データを生成する撮影装置と、レリーズスイッチと、前記レリーズスイッチの押下タイミングで前記撮影装置から前記撮影データを取得する撮影データ取得手段と、前記レリーズスイッチの押下タイミングで前記ユーザの配信先となる端末へのネットワーク上の配信先情報の送信要求を前記携帯端末に送信し、当該送信要求を送信してから所定時間内に受信した前記配信先情報を取得する配信先情報取得手段とを備え、
前記配信先情報取得手段で取得した配信先情報及び前記撮影データ取得手段で取得した撮影データを前記配信端末に送信し、前記撮影データを配信するときは、前記撮影データの配信要求を前記配信端末に送信することを特徴とするディジタル撮影装置。
【発明の詳細な説明】
【０００１】
【発明の属する技術分野】
本発明は、ディジタルカメラで生成した撮影データを被写体となった者に対して配信するシステムおよびそれに適用する端末に係り、特に、ディジタルカメラで生成した撮影データを被写体となった者に対して手軽に提供することができる情報配信システム、指示端末および携帯端末に関する。
【０００２】
【従来の技術】
例えば、友人同士で集まってディジタルカメラで集合写真を撮影した場合には、その撮影により得られた撮影データを、被写体となった友人達に提供したいという要望がある。
撮影データを提供するには、電子メールを利用して提供することが一般的な手法の一つとして行われる。具体的には、撮影データを提供しようとする相手方がパソコンおよび電子メールアドレスを持っていることを前提に、例えばディジタルカメラの所有者が、各相手方の電子メールアドレスをメモし、自宅のパソコンのメールソフトに、メモした各相手方の電子メールアドレスを一つ一つ手入力し、そうして作成した電子メールに撮影データを添付して送信する。
【０００３】
【発明が解決しようとする課題】
しかしながら、従来の手法にあっては、撮影データを提供しようとする相手方の電子メールアドレスを一つ一つ手入力しなければならないため、その作業だけでも手間や時間を要した。しかも、電子メールアドレスは、全体の文字列が長いものも多く、長い場合は、入力作業に手間や時間を要するばかりか、入力ミスが生じる可能性も高い。
【０００４】
また、ディジタルカメラの所有者が、自宅に戻ってから送信作業を行わなければならないため、撮影のほかに送信作業を別に行わなければならず、面倒でついうっかり忘れてしまうことも少なくない。
そこで、本発明は、このような従来の技術の有する未解決の課題に着目してなされたものであって、ディジタルカメラで生成した撮影データを被写体となった者に対して手軽に提供することができる情報配信システム、指示端末および携帯端末を提供することを目的としている。
【０００５】
【課題を解決するための手段】
上記目的を達成するために、発明１の情報配信システムは、ユーザの利用に供する携帯端末と、前記ユーザの配信先に関する配信先情報の取得指示を与える指示端末とを備え、配信対象となる配信対象情報を前記ユーザに対して配信するシステムであって、前記配信先情報を前記携帯端末と対応付けて記憶するための記憶手段と、前記記憶手段の配信先情報を取得する配信先情報取得手段と、前記配信先情報取得手段で取得した配信先情報に基づいて前記配信対象情報を前記ユーザに対して配信する配信手段とを備え、前記配信先情報取得手段は、前記指示端末からの取得要求に応じて、前記指示端末の位置を基準として所定範囲内に属する携帯端末に対応する配信先情報を前記記憶手段から取得するようになっている。
【０００６】
このような構成であれば、配信対象情報を提供する場合は、指示端末において配信先情報の取得指示を与える。指示端末では、取得指示が与えられると、配信先情報の取得要求が出力される。そして、指示端末からの取得要求に応じて、配信先情報取得手段により、指示端末の位置を基準として所定範囲内に属する携帯端末に対応する配信先情報が記憶手段から取得され、配信手段により、取得された配信先情報に基づいて配信対象情報がユーザに対して配信される。
【０００７】
ここで、本システムは、携帯端末および指示端末のみから構成してもよいし、それら以外の別の端末を含む複数の端末を通信可能に接続したネットワークシステムとして構成してもよい。後者の場合、各構成要素は、それぞれ通信可能に接続されていれば、複数の端末のうちどの端末に属していてもよい。具体的には、記憶手段、配信先情報取得手段または配信手段は、携帯端末、指示端末またはそれら以外の別の端末に属していてもよい。
【０００８】
また、指示端末の位置は、ＧＰＳ（Global Positioning System）等により、指示端末または指示端末が通信する基地局からの位置情報に基づいて詳細に特定するようになっていてもよいし、指示端末が特定の基地局または携帯端末の通信エリアに属したか否かを判定し、その特定の基地局若しくは携帯端末の位置をもってまたは判定したことをもって大まかに特定するようになっていてもよい。このことは、携帯端末の位置についても同じである。
【０００９】
また、指示端末の位置は、携帯端末の位置との相対的な位置として特定するようになっていてもよいし、緯度および経度等の絶対座標系を用いて絶対的な位置として特定するようになっていてもよい。このことは、携帯端末の位置についても同じである。
また、配信対象情報は、入手方法の如何にかかわらずどのような情報であってもよく、これには、例えば、ディジタルカメラで生成した撮影データ、スキャナで取り込んだイメージデータ、パソコンで作成・編集した文書データやマルチメディアデータが挙げられる。
【００１０】
また、配信先情報は、ユーザの配信先に関する情報であればどのような情報であってもよく、携帯端末への配信先に関する情報に限らず、携帯端末のユーザが所有するパソコン等への配信先に関する情報であってもよい。以下、発明４および７の情報配信システム、並びに発明１１の携帯端末において同じである。
【００１１】
また、記憶手段は、配信先情報をあらゆる手段でかつあらゆる時期に記憶するものであり、配信先情報をあらかじめ記憶してあるものであってもよいし、配信先情報をあらかじめ記憶することなく、本装置の動作時に外部からの入力等によって配信先情報を記憶するようになっていてもよい。このことは、サービス情報の記憶についても同じである。以下、発明４および７の情報配信システム、並びに発明１１の携帯端末において同じである。
【００１２】
また、配信先情報を携帯端末と対応付けて記憶することは、携帯端末が複数存在する場合は、各携帯端末に記憶手段をそれぞれ設けて配信先情報を個別に管理する形態と、携帯端末とは別の端末またはいずれかの携帯端末に記憶手段を設けて配信先情報を一括で管理する形態とで区別して考えることができる。すなわち、前者の場合は、配信先情報を各携帯端末の記憶手段にそれぞれ記憶することが、配信先情報を携帯端末と対応付けて記憶することになる。また、後者の場合は、例えば、各配信先情報を、携帯端末を識別するための識別情報（携帯端末が携帯電話であれば、その電話番号等）と対応付けて記憶手段に記憶することが、配信先情報を携帯端末と対応付けて記憶することになる。以下、発明４および７の情報配信システム、並びに発明１１の携帯端末において同じである。
【００１３】
さらに、発明２の情報配信システムは、発明１の情報配信システムにおいて、前記指示端末は、前記配信先情報取得手段を有し、前記配信先情報取得手段は、前記配信先情報の送信要求を前記携帯端末に送信し、前記送信要求の送信に伴って前記配信先情報を受信するようになっており、前記携帯端末は、前記記憶手段を有し、前記送信要求を受信したときは、当該携帯端末に対応する配信先情報を前記記憶手段から読み出し、読み出した配信先情報を前記指示端末に送信するようになっている。
【００１４】
このような構成であれば、指示端末では、取得指示が与えられると、配信先情報取得手段により、送信要求が携帯端末に送信される。
携帯端末では、送信要求を受信すると、その携帯端末に対応する配信先情報が記憶手段から読み出され、読み出された配信先情報が指示端末に送信される。
指示端末では、配信先情報取得手段により、配信先情報を受信する。これにより配信先情報が取得される。そして、配信手段により、取得された配信先情報に基づいて配信対象情報がユーザに対して配信される。
【００１５】
さらに、発明３の情報配信システムは、発明１の情報配信システムにおいて、前記指示端末の位置を特定するための指示端末位置情報を取得する指示端末位置情報取得手段と、前記携帯端末の位置を特定するための携帯端末位置情報を取得する携帯端末位置情報取得手段とを備え、前記配信先情報取得手段は、前記指示端末からの取得要求に応じて、前記指示端末位置情報取得手段で取得した指示端末位置情報および前記携帯端末位置情報取得手段で取得した携帯端末位置情報に基づいて、前記指示端末の位置を基準として所定範囲内に属する携帯端末に対応する配信先情報を前記記憶手段から取得するようになっている。
【００１６】
このような構成であれば、指示端末からの取得要求に応じて、指示端末位置情報取得手段により、指示端末位置情報が取得され、携帯端末位置情報取得手段により、携帯端末位置情報が取得される。そして、配信先情報取得手段により、取得された指示端末位置情報および携帯端末位置情報に基づいて、指示端末の位置を基準として所定範囲内に属する携帯端末に対応する配信先情報が記憶手段から取得され、配信手段により、取得された配信先情報に基づいて配信対象情報がユーザに対して配信される。
【００１７】
さらに、発明４の情報配信システムは、ユーザの利用に供する携帯端末と、撮影結果をディジタルデータとして生成するディジタル撮影装置とを近距離無線通信により通信可能に接続し、前記ディジタル撮影装置で生成した撮影データを前記ユーザに対して配信するシステムであって、前記ユーザの配信先に関する配信先情報を前記携帯端末と対応付けて記憶するための記憶手段と、前記記憶手段の配信先情報を取得する配信先情報取得手段と、前記配信先情報取得手段で取得した配信先情報に基づいて前記撮影データを前記ユーザに対して配信する配信手段とを備え、前記ディジタル撮影装置は、前記配信先情報取得手段を有し、前記配信先情報取得手段は、前記配信先情報の送信要求を前記携帯端末に送信し、前記送信要求の送信に伴って前記配信先情報を受信するようになっており、前記携帯端末は、前記記憶手段を有し、前記送信要求を受信したときは、当該携帯端末に対応する配信先情報を前記記憶手段から読み出し、読み出した配信先情報を前記ディジタル撮影装置に送信するようになっている。
【００１８】
このような構成であれば、撮影データを提供する場合は、ディジタル撮影装置において配信先情報の取得指示を与える。
ディジタル撮影装置では、取得指示が与えられると、配信先情報取得手段により、送信要求が携帯端末に送信される。
携帯端末では、送信要求を受信すると、その携帯端末に対応する配信先情報が記憶手段から読み出され、読み出された配信先情報がディジタル撮影装置に送信される。
【００１９】
ディジタル撮影装置では、配信先情報取得手段により、配信先情報を受信する。これにより配信先情報が取得される。そして、配信手段により、取得された配信先情報に基づいて撮影データがユーザに対して配信される。
ここで、本システムは、携帯端末およびディジタル撮影装置のみから構成してもよいし、それら以外の別の端末を含む複数の端末を通信可能に接続したネットワークシステムとして構成してもよい。後者の場合、各構成要素は、それぞれ通信可能に接続されていれば、複数の端末のうちどの端末に属していてもよい。具体的には、配信手段は、携帯端末、ディジタル撮影装置またはそれら以外の別の端末に属していてもよい。
【００２０】
さらに、発明５の情報配信システムは、発明４の情報配信システムにおいて、前記ディジタル撮影装置は、前記配信手段を有し、前記配信手段は、前記配信先情報取得手段で取得した配信先情報に基づいて前記撮影データを前記ユーザに対して配信するようになっている。
このような構成であれば、ディジタル撮影装置では、配信手段により、取得された配信先情報に基づいて撮影データがユーザに対して配信される。
【００２１】
さらに、発明６の情報配信システムは、発明４の情報配信システムにおいて、前記撮影データを配信する配信端末を備え、前記ディジタル撮影装置は、前記配信先情報取得手段で取得した配信先情報および前記撮影データを前記配信端末に送信し、前記撮影データを配信するときは、前記撮影データの配信要求を前記配信端末に送信するようになっており、前記配信端末は、前記配信手段を有し、前記配信先情報および前記撮影データを受信し、前記配信要求を受信したときは、受信した配信先情報および撮影データに基づいて前記配信手段による配信を行うようになっている。
【００２２】
このような構成であれば、ディジタル撮影装置では、取得された配信先情報および撮影データが配信端末に送信され、撮影データを配信するときは、配信要求が配信端末に送信される。
配信端末では、配信先情報および撮影データを受信し、さらに配信要求を受信すると、配信手段により、受信した配信先情報に基づいて、受信した撮影データがユーザに対して配信される。
【００２３】
さらに、発明７の情報配信システムは、ユーザの利用に供する携帯端末と、撮影結果をディジタルデータとして生成するディジタル撮影装置とを備え、前記ディジタル撮影装置で生成した撮影データを前記ユーザに対して配信するシステムであって、前記ユーザの配信先に関する配信先情報を前記携帯端末と対応付けて記憶するための記憶手段と、前記ディジタル撮影装置の位置を特定するための撮影装置位置情報を取得する撮影装置位置情報取得手段と、前記携帯端末の位置を特定するための携帯端末位置情報を取得する携帯端末位置情報取得手段と、前記記憶手段の配信先情報を取得する配信先情報取得手段と、前記配信先情報取得手段で取得した配信先情報に基づいて前記撮影データを前記ユーザに対して配信する配信手段とを備え、前記配信先情報取得手段は、前記ディジタル撮影装置からの取得要求に応じて、前記撮影装置位置情報取得手段で取得した撮影装置位置情報および前記携帯端末位置情報取得手段で取得した携帯端末位置情報に基づいて、前記ディジタル撮影装置の位置を基準として所定範囲内に属する携帯端末に対応する配信先情報を前記記憶手段から取得するようになっている。
【００２４】
このような構成であれば、撮影データを提供する場合は、ディジタル撮影装置において配信先情報の取得指示を与える。ディジタル撮影装置では、取得指示が与えられると、配信先情報の取得要求が出力される。次いで、ディジタル撮影装置からの取得要求に応じて、撮影装置位置情報取得手段により、撮影装置位置情報が取得され、携帯端末位置情報取得手段により、携帯端末位置情報が取得される。そして、配信先情報取得手段により、取得された撮影装置位置情報および携帯端末位置情報に基づいて、ディジタル撮影装置の位置を基準として所定範囲内に属する携帯端末に対応する配信先情報が記憶手段から取得され、配信手段により、取得された配信先情報に基づいて撮影データがユーザに対して配信される。
【００２５】
ここで、本システムは、携帯端末およびディジタル撮影装置のみから構成してもよいし、それら以外の別の端末を含む複数の端末を通信可能に接続したネットワークシステムとして構成してもよい。後者の場合、各構成要素は、それぞれ通信可能に接続されていれば、複数の端末のうちどの端末に属していてもよい。具体的には、記憶手段、配信先情報取得手段または配信手段は、携帯端末、ディジタル撮影装置またはそれら以外の別の端末に属していてもよい。
【００２６】
さらに、発明８の情報配信システムは、発明７の情報配信システムにおいて、前記配信先情報を取得する配信先情報取得端末を備え、前記ディジタル撮影装置は、前記撮影装置位置情報取得手段および前記配信手段を有し、前記撮影装置位置情報取得手段で取得した撮影装置位置情報を前記配信先情報の送信要求とともに前記配信先情報取得端末に送信し、前記送信要求の送信に伴って前記配信先情報を受信したときは、受信した配信先情報および前記撮影データに基づいて前記配信手段による配信を行うようになっており、前記配信先情報取得端末は、前記配信先情報取得手段を有し、前記配信先情報取得手段は、前記撮影装置位置情報を前記送信要求とともに受信したときは、受信した撮影装置位置情報および前記携帯端末位置情報取得手段で取得した携帯端末位置情報に基づいて、前記ディジタル撮影装置の位置を基準として所定範囲内に属する携帯端末に対応する配信先情報を前記記憶手段から取得し、取得した配信先情報を前記ディジタル撮影装置に送信するようになっている。
【００２７】
このような構成であれば、ディジタル撮影装置では、取得指示が与えられると、撮影装置位置情報取得手段により、撮影装置位置情報が取得され、取得された撮影装置位置情報が送信要求とともに配信先情報取得端末に送信される。
配信先情報取得端末では、撮影装置位置情報を送信要求とともに受信すると、携帯端末位置情報取得手段により、携帯端末位置情報が取得され、配信先情報取得手段により、受信した撮影装置位置情報および取得された携帯端末位置情報に基づいて、ディジタル撮影装置の位置を基準として所定範囲内に属する携帯端末に対応する配信先情報が記憶手段から取得され、取得された配信先情報がディジタル撮影装置に送信される。
【００２８】
ディジタル撮影装置では、配信先情報を受信すると、配信手段により、受信した配信先情報に基づいて撮影データがユーザに対して配信される。
さらに、発明９の情報配信システムは、発明７の情報配信システムにおいて、前記撮影データを配信する配信端末を備え、前記ディジタル撮影装置は、前記撮影装置位置情報取得手段を有し、前記撮影装置位置情報取得手段で取得した撮影装置位置情報および前記撮影データを当該撮影データの配信要求とともに前記配信端末に送信するようになっており、前記配信端末は、前記配信先情報取得手段および前記配信手段を有し、前記撮影装置位置情報および前記撮影データを前記送信要求とともに受信したときは、前記受信した撮影装置位置情報および前記携帯端末位置情報取得手段で取得した携帯端末位置情報に基づいて前記配信先情報取得手段による取得を行い、前記配信先情報取得手段で取得した配信先情報および前記受信した撮影データに基づいて前記配信手段による配信を行うようになっている。
【００２９】
このような構成であれば、ディジタル撮影装置では、取得指示が与えられると、撮影装置位置情報取得手段により、撮影装置位置情報が取得され、取得された撮影装置位置情報および撮影データが配信要求とともに配信端末に送信される。配信端末では、撮影装置位置情報および撮影データを配信要求とともに受信すると、携帯端末位置情報取得手段により、携帯端末位置情報が取得される。そして、配信先情報取得手段により、受信した撮影装置位置情報および取得された携帯端末位置情報に基づいて、ディジタル撮影装置の位置を基準として所定範囲内に属する携帯端末に対応する配信先情報が記憶手段から取得され、配信手段により、取得された配信先情報に基づいて、受信した撮影データがユーザに対して配信される。
【００３０】
一方、上記目的を達成するために、発明１０の指示端末は、発明２の情報配信システムにおける携帯端末と近距離無線通信により通信可能に接続する指示端末であって、前記配信先情報取得手段を備え、前記配信先情報取得手段は、前記配信先情報の送信要求を前記携帯端末に送信し、前記送信要求の送信に伴って前記配信先情報を受信するようになっている。
【００３１】
このような構成であれば、発明２の情報配信システムにおける指示端末と同等の作用が得られる。
一方、上記目的を達成するために、発明１１の携帯端末は、発明２の情報配信システムにおける指示端末と近距離無線通信により通信可能に接続する携帯端末であって、前記記憶手段を備え、前記送信要求を受信したときは、当該携帯端末に対応する配信先情報を前記記憶手段から読み出し、読み出した配信先情報を前記指示端末に送信するようになっている。
【００３２】
このような構成であれば、発明２の情報配信システムにおける携帯端末と同等の作用が得られる。
以上では、上記目的を達成するための情報配信システム、指示端末および携帯端末を提供したが、これに限らず、上記目的を達成するために、次に掲げる第１および第２の記憶媒体を提供することもできる。
【００３３】
第１の記憶媒体は、発明２の情報配信システムにおける携帯端末と近距離無線通信により通信可能に接続する指示端末に適用するコンピュータ読み取り可能なプログラムであって、前記配信先情報取得手段で実現される処理をコンピュータに実行させるためのプログラムを記憶し、前記配信先情報取得手段は、前記配信先情報の送信要求を前記携帯端末に送信し、前記送信要求の送信に伴って前記配信先情報を受信するようになっている。
【００３４】
このような構成であれば、記憶媒体に記憶されたプログラムがコンピュータによって読み取られ、読み取られたプログラムに従ってコンピュータが実行したときは、発明２の情報配信システムにおける指示端末と同等の作用が得られる。これにより、発明２の情報配信システムと同等の効果が得られる。
第２の記憶媒体は、発明２の情報配信システムにおける指示端末と近距離無線通信により通信可能に接続する携帯端末に適用するコンピュータ読み取り可能なプログラムであって、前記記憶手段を備えたコンピュータに対して、前記送信要求を受信したときは、当該携帯端末に対応する配信先情報を前記記憶手段から読み出し、読み出した配信先情報を前記指示端末に送信する処理を実行させるためのプログラムを記憶した。
【００３５】
このような構成であれば、記憶媒体に記憶されたプログラムがコンピュータによって読み取られ、読み取られたプログラムに従ってコンピュータが実行したときは、発明２の情報配信システムにおける携帯端末と同等の作用が得られる。これにより、発明２の情報配信システムと同等の効果が得られる。
【００３６】
【発明の実施の形態】
以下、本発明の第１の実施の形態を図面を参照しながら説明する。図１ないし図６は、本発明に係る情報配信システム、指示端末および携帯端末の第１の実施の形態を示す図である。
本実施の形態は、本発明に係る情報配信システム、指示端末および携帯端末を、図１に示すように、ディジタルカメラ１００で生成した撮影データを、被写体となった携帯端末２００のユーザに対して配信する場合について適用したものである。
【００３７】
まず、本発明を適用するネットワークシステムの構成を図１を参照しながら説明する。図１は、本発明を適用するネットワークシステムの構成を示すブロック図である。
インターネット１９９には、図１に示すように、ディジタルカメラ１００とインターネット１９９との通信を中継する中継局３１０と、携帯端末２００のユーザが所有するユーザ端末４００とが接続されている。また、ディジタルカメラ１００と携帯端末２００とは、近距離無線通信により通信を行うようになっている。
【００３８】
中継局３１０には、ディジタルカメラ１００と無線通信を行う基地局３００が接続されており、中継局３１０は、ディジタルカメラ１００がインターネット１９９に接続するときは、ディジタルカメラ１００に代わってインターネット１９９上での一端末となって、基地局３００を介して受信したディジタルカメラ１００からのデータをインターネット１９９を介して目的の端末に送信するとともに、インターネット１９９上にある目的の端末のデータを基地局３００を介してディジタルカメラ１００に送信するようになっている。
【００３９】
ユーザ端末４００は、ＣＰＵ、ＲＯＭ、ＲＡＭおよびＩ／Ｆ等をバス接続した一般的なコンピュータと同一機能を有して構成されており、図示しないインターネット１９９上のメールサーバを介してインターネット１９９上の他の端末と電子メールを送受信可能となっている。
次に、ディジタルカメラ１００の構成を図２を参照しながら詳細に説明する。図２は、ディジタルカメラ１００の構成を示すブロック図である。
【００４０】
ディジタルカメラ１００は、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００４１】
Ｉ／Ｆ３８には、外部装置として、基地局３００と無線通信により通信を行う無線通信装置４０と、携帯端末２００と近距離無線通信により通信を行う近距離無線通信装置４１と、撮影結果をディジタルデータとして生成する撮影装置４２と、撮影装置４２に対して撮影タイミングを与えるレリーズスイッチ４３と、画像信号に基づいて撮影装置４２での撮影画面等を表示するＬＣＤ（Liquid Crystal Display）４４とが接続されている。
【００４２】
ＣＰＵ３０は、マイクロプロセッシングユニットＭＰＵ等からなり、ＲＯＭ３２の所定領域に格納されている所定のプログラムを起動させ、そのプログラムに従って、図３および図４のフローチャートに示す配信先アドレス取得処理および撮影データ配信処理をそれぞれ時分割で実行するようになっている。
初めに、配信先アドレス取得処理を図３を参照しながら詳細に説明する。図３は、配信先アドレス取得処理を示すフローチャートである。
【００４３】
配信先アドレス取得処理は、レリーズスイッチ４３の押下により撮影要求があったときに、ディジタルカメラ１００の位置を基準として近距離無線通信の通信範囲内（ディジタルカメラ１００を中心とした半径１０〔ｍ〕程度の円形領域内）に属する携帯端末２００から配信先アドレスを取得する処理であって、ＣＰＵ３０において実行されると、図３に示すように、まず、ステップＳ１００に移行するようになっている。
【００４４】
ステップＳ１００では、レリーズスイッチ４３が押下されたか否かを判定し、レリーズスイッチ４３が押下されたと判定したとき(Yes)は、ステップＳ１０２に移行するが、そうでないと判定したとき(No)は、レリーズスイッチ４３が押下されるまでステップＳ１００で待機する。
ステップＳ１０２では、撮影装置４２で生成したディジタルデータである撮影データを取得し、ステップＳ１０４に移行して、取得した撮影データをＲＡＭ３４の所定領域に格納し、ステップＳ１０８に移行して、近距離無線通信装置４１により配信先アドレスの送信要求を携帯端末２００に送信する。具体的に、ステップＳ１０８では、近距離無線通信の通信範囲内に属する携帯端末２００に対して配信先アドレスの送信要求をブロードキャストする。
【００４５】
次いで、ステップＳ１１２に移行して、近距離無線通信装置４１により配信先アドレスを受信したか否かを判定し、配信先アドレスを受信したと判定したとき(Yes)は、ステップＳ１１４に移行して、受信した配信先アドレスを、ステップＳ１０４で格納した撮影データと対応付けてＲＡＭ３４の所定領域に格納し、ステップＳ１１２に移行する。
【００４６】
一方、ステップＳ１１２で、配信先アドレスを受信しないと判定したとき(No)は、ステップＳ１１６に移行して、配信先アドレスの送信要求を送信してから所定時間（例えば、３０〔ｓ〕）が経過したか否かを判定し、所定時間が経過したと判定したとき(Yes)は、一連の処理を終了して元の処理に復帰させる。
一方、ステップＳ１１６で、配信先アドレスの送信要求を送信してから所定時間が経過していないと判定したとき(No)は、ステップＳ１１２に移行する。
【００４７】
次に、撮影データ配信処理を図４を参照しながら詳細に説明する。図４は、撮影データ配信処理を示すフローチャートである。
撮影データ配信処理は、ユーザからの配信指示に応じて、配信先アドレス取得処理で取得した配信先アドレスに基づいて、撮影装置４２で生成したディジタルデータである撮影データをユーザに対して配信する処理であって、ＣＰＵ３０において実行されると、図４に示すように、まず、ステップＳ１５０に移行するようになっている。
【００４８】
ステップＳ１５０では、ディジタルカメラ１００のユーザにより撮影データの配信が指示されたか否かを判定し、撮影データの配信が指示されたと判定したとき(Yes)は、ステップＳ１５２に移行するが、そうでないと判定したとき(No)は、撮影データの配信が指示されるまでステップＳ１５０で待機する。
ステップＳ１５２では、撮影データおよびそれと対応付けて格納した配信先アドレスをＲＡＭ３４から読み出し、ステップＳ１５４に移行して、読み出した配信先アドレスにより特定される宛先に撮影データを電子メール形式で配信し、一連の処理を終了して元の処理に復帰させる。
【００４９】
次に、携帯端末２００の構成を図５を参照しながら詳細に説明する。図５は、携帯端末２００の構成を示すブロック図である。
携帯端末２００は、図５に示すように、制御プログラムに基づいて演算およびシステム全体を制御するＣＰＵ５０と、所定領域にあらかじめＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、外部装置に対してデータの入出力を媒介するＩ／Ｆ５８とで構成されており、これらは、データを転送するための信号線であるバス５９で相互にかつデータ授受可能に接続されている。
【００５０】
Ｉ／Ｆ５８には、外部装置として、基地局３００とは別の図示しない基地局（例えば、公衆回線等に携帯端末２００を接続する基地局）と無線通信により通信を行う無線通信装置６０と、ディジタルカメラ１００と近距離無線通信により通信を行う近距離無線通信装置６１と、ヒューマンインターフェースとして複数のキーによりデータの入力が可能なキーパネル６２と、画像信号に基づいて画面を表示するＬＣＤ６３とが接続されている。
【００５１】
ＲＡＭ５４には、携帯端末２００のユーザが所有するユーザ端末４００への電子メールアドレスが配信先アドレスとして所定の領域に格納されている。この配信先アドレスは、携帯端末２００を購入した後、携帯端末２００のユーザが所定の操作を行うことにより登録するものである。
ＣＰＵ５０は、マイクロプロセッシングユニットＭＰＵ等からなり、ＲＯＭ５２の所定領域に格納されている所定のプログラムを起動させ、そのプログラムに従って、図６のフローチャートに示す配信先アドレス送信処理を実行するようになっている。図６は、配信先アドレス送信処理を示すフローチャートである。
【００５２】
配信先アドレス送信処理は、ディジタルカメラ１００からの送信要求に応じて、ＲＡＭ５４の配信先アドレスをディジタルカメラ１００に送信する処理であって、ＣＰＵ５０において実行されると、図６に示すように、まず、ステップＳ２００に移行するようになっている。
ステップＳ２００では、近距離無線通信装置６１により配信先アドレスの送信要求を受信したか否かを判定し、配信先アドレスの送信要求を受信したと判定したとき(Yes)は、ステップＳ２０２に移行するが、そうでないと判定したとき(No)は、配信先アドレスの送信要求を受信するまでステップＳ２００で待機する。
【００５３】
ステップＳ２０２では、配信先アドレスをＲＡＭ５４から読み出し、ステップＳ２０４に移行して、読み出した配信先アドレスを近距離無線通信装置６１によりディジタルカメラ１００に送信し、一連の処理を終了して元の処理に復帰させる。
次に、上記第１の実施の形態の動作を説明する。
【００５４】
初めに、ディジタルカメラ１００で携帯端末２００のユーザを撮影する場合について説明する。
ディジタルカメラ１００で撮影を行うには、ディジタルカメラによる一般的な撮影方法と同様に、ディジタルカメラ１００のユーザは、図示しないファインダ越しから携帯端末２００のユーザがフレームに入るよう撮影位置を調整したのち、レリーズスイッチ４３を押下する。
【００５５】
ディジタルカメラ１００では、レリーズスイッチ４３が押下されると、撮影装置４２により、撮影データが生成され、ステップＳ１００〜Ｓ１０４を経て、生成された撮影データが取得され、取得された撮影データがＲＡＭ３４の所定領域に格納される。そして、ステップＳ１０８を経て、近距離無線通信装置４１により配信先アドレスの送信要求が携帯端末２００に送信される。
【００５６】
ディジタルカメラ１００の位置を基準として近距離無線通信の通信範囲内に属する携帯端末２００では、近距離無線通信装置６１により配信先アドレスの送信要求を受信すると、ステップＳ２００〜Ｓ２０４を経て、配信先アドレスがＲＡＭ５４から読み出され、近距離無線通信装置６１により、読み出された配信先アドレスがディジタルカメラ１００に送信される。
【００５７】
ディジタルカメラ１００では、近距離無線通信装置４１により配信先アドレスを受信すると、ステップＳ１１２，Ｓ１１４を経て、受信した配信先アドレスが撮影データと対応付けられてＲＡＭ３４の所定領域に格納される。こうした配信先アドレスの受信・格納は、配信先アドレスの送信要求が送信されてから所定時間が経過するまでの間、継続して行われる。
【００５８】
次に、ディジタルカメラ１００において撮影データをユーザに対して配信する場合について説明する。
撮影データをユーザに対して配信するには、ディジタルカメラ１００のユーザは、図示しない操作部を操作することにより配信指示を入力する。
ディジタルカメラ１００では、撮影データの配信指示が入力されると、ステップＳ１５０，Ｓ１５４を経て、撮影データおよびそれと対応付けられて格納された配信先アドレスがＲＡＭ３４から読み出され、読み出された配信先アドレスにより特定される宛先であるユーザ端末４００に撮影データが電子メール形式で配信される。
【００５９】
このようにして、携帯端末２００と、ディジタルカメラ１００とを近距離無線通信により通信可能に接続し、ディジタルカメラ１００は、レリーズスイッチ４３が押下されたときは、近距離無線通信装置４１により配信先アドレスの送信要求を携帯端末２００に送信し、その送信要求の送信に伴って配信先アドレスを受信し、配信指示を入力したときは、受信した配信先アドレスにより特定される宛先に撮影データを電子メール形式で送信するようになっており、携帯端末２００は、配信先アドレスを格納したＲＡＭ５４を有し、近距離無線通信装置６１により送信要求を受信したときは、配信先アドレスをＲＡＭ５４から読み出し、読み出した配信先アドレスをディジタルカメラ１００に送信するようになっている。
【００６０】
これにより、ディジタルカメラ１００の位置を基準として近距離無線通信の通信範囲内に属する携帯端末２００のユーザの配信先アドレスを、撮影データを提供しようとする相手方の配信先アドレスとみなして取得することができる。そのため、配信先アドレスの入力作業に要する手間や時間を低減することができるので、従来に比して、被写体となった者に対して撮影データを比較的手軽に提供することができる。
【００６１】
さらに、本実施の形態では、ディジタルカメラ１００は、受信した配信先アドレスにより特定される宛先に撮影データを電子メール形式で配信するようになっている。
これにより、撮影したその場で、被写体となった者に対して撮影データを配信することができるので、ディジタルカメラ１００のユーザは、撮影のほかに送信作業を別に行わなくてすみ、被写体となった者に対して撮影データをさらに手軽に提供することができる。
【００６２】
上記第１の実施の形態において、配信先アドレスは、発明１、２、４、５、１０または１１の配信先情報に対応し、撮影データは、発明１の配信対象情報に対応し、ディジタルカメラ１００は、発明１、２、１０若しくは１１の指示端末、または発明４若しくは５のディジタル撮影装置に対応している。また、ＲＡＭ５４は、発明１、２、４または１１の記憶手段に対応し、ステップＳ１０８〜Ｓ１１６は、発明１、２、４、５または１０の配信先情報取得手段に対応し、ステップＳ１５２，Ｓ１５４は、発明１、４または５の配信手段に対応している。
【００６３】
次に、本発明の第２の実施の形態を図面を参照しながら説明する。図７ないし図１２は、本発明に係る情報配信システムの第２の実施の形態を示す図である。なお、以下、上記第１の実施の形態と異なる部分についてのみ説明し、上記第１の実施の形態と重複する部分については同一の符号を付して説明を省略する。
本実施の形態は、本発明に係る情報配信システムを、図７に示すように、ディジタルカメラ１００で生成した撮影データを、被写体となった携帯端末２００のユーザに対して配信する場合について適用したものであり、上記第１の実施の形態と異なるのは、配信先アドレスの取得を、インターネット１９９に接続した配信先アドレス取得端末５００において行う点にある。
【００６４】
まず、本発明を適用するネットワークシステムの構成を図７を参照しながら説明する。図７は、本発明を適用するネットワークシステムの構成を示すブロック図である。
インターネット１９９には、図７に示すように、ディジタルカメラ１００および携帯端末２００とインターネット１９９との通信を中継する中継局３１０と、携帯端末２００のユーザが所有するユーザ端末４００とが接続されている。
【００６５】
中継局３１０には、ディジタルカメラ１００および携帯端末２００と無線通信を行う複数の基地局３００が接続されており、中継局３１０は、ディジタルカメラ１００または携帯端末２００がインターネット１９９に接続するときは、ディジタルカメラ１００または携帯端末２００に代わってインターネット１９９上での一端末となって、基地局３００を介して受信したディジタルカメラ１００または携帯端末２００からのデータをインターネット１９９を介して目的の端末に送信するとともに、インターネット１９９上にある目的の端末のデータを基地局３００を介してディジタルカメラ１００または携帯端末２００に送信するようになっている。
【００６６】
また、中継局３１０は、携帯端末２００が少なくとも３つの基地局３００と同時に通信を行うことにより、携帯端末２００からの電波がそれら基地局３００に到達するまでの時間のそれぞれの時間差を測定し、測定した時間差に基づいて携帯端末２００の現在位置を測定してその位置を特定するための携帯端末位置情報を生成するようになっている。
【００６７】
次に、ディジタルカメラ１００の構成を図８を参照しながら詳細に説明する。図８は、ディジタルカメラ１００の構成を示すブロック図である。
ディジタルカメラ１００は、図８に示すように、ＣＰＵ３０、ＲＯＭ３２、ＲＡＭ３４およびＩ／Ｆ３８をバス３９で相互にかつデータ授受可能に接続してなり、Ｉ／Ｆ３８には、外部装置として、無線通信装置４０、撮影装置４２、レリーズスイッチ４３およびＬＣＤ４４のほか、ディジタルカメラ１００の現在位置を測定してその位置を特定するためのカメラ位置情報を取得する位置情報取得装置４５が接続されている。
【００６８】
位置情報取得装置４５は、現在の時刻を示す時刻信号を送信する周回衛星から時刻信号を受信し、それら時刻信号により示される時刻のずれおよび各周回衛星の周回軌道に基づいて、位置を測定するいわゆるＧＰＳを利用して、現在地点の位置を測定し、測定した現在地点の位置を携帯端末位置情報として出力するようになっている。
【００６９】
ＣＰＵ３０は、ＲＯＭ３２の所定領域に格納されている所定のプログラムを起動させ、そのプログラムに従って、図９および図４のフローチャートに示す配信先アドレス要求処理および撮影データ配信処理をそれぞれ時分割で実行するようになっている。図９は、配信先アドレス要求処理を示すフローチャートである。配信先アドレス要求処理は、レリーズスイッチ４３の押下により撮影要求があったときに、配信先アドレス取得端末５００に対して配信先アドレスの送信を要求する処理であって、ＣＰＵ３０において実行されると、図９に示すように、まず、ステップＳ１００に移行するようになっている。
【００７０】
ステップＳ１００では、レリーズスイッチ４３が押下されたか否かを判定し、レリーズスイッチ４３が押下されたと判定したとき(Yes)は、ステップＳ１０２に移行するが、そうでないと判定したとき(No)は、レリーズスイッチ４３が押下されるまでステップＳ１００で待機する。
ステップＳ１０２では、撮影装置４２で生成したディジタルデータである撮影データを取得し、ステップＳ１０４に移行して、取得した撮影データをＲＡＭ３４の所定領域に格納し、ステップＳ１０６に移行して、カメラ位置情報を位置情報取得装置４５から取得し、ステップＳ１１０に移行して、無線通信装置４０により、取得したカメラ位置情報を配信先アドレスの送信要求とともに配信先アドレス取得端末５００に送信し、ステップＳ１１２に移行する。
【００７１】
ステップＳ１１２では、無線通信装置４０により配信先アドレスを受信したか否かを判定し、配信先アドレスを受信したと判定したとき(Yes)は、ステップＳ１１４に移行して、受信した配信先アドレスを、ステップＳ１０４で格納した撮影データと対応付けてＲＡＭ３４の所定領域に格納し、ステップＳ１１２に移行する。
【００７２】
一方、ステップＳ１１２で、配信先アドレスを受信しないと判定したとき(No)は、ステップＳ１１６に移行して、配信先アドレスの送信要求を送信してから所定時間（例えば、３０〔ｓ〕）が経過したか否かを判定し、所定時間が経過したと判定したとき(Yes)は、一連の処理を終了して元の処理に復帰させる。
一方、ステップＳ１１６で、配信先アドレスの送信要求を送信してから所定時間が経過していないと判定したとき(No)は、ステップＳ１１２に移行する。
【００７３】
次に、配信先アドレス取得端末５００の構成を図１０を参照しながら詳細に説明する。図１０は、配信先アドレス取得端末５００の構成を示すブロック図である。
配信先アドレス取得端末５００は、図１０に示すように、制御プログラムに基づいて演算およびシステム全体を制御するＣＰＵ７０と、所定領域にあらかじめＣＰＵ７０の制御プログラム等を格納しているＲＯＭ７２と、ＲＯＭ７２等から読み出したデータやＣＰＵ７０の演算過程で必要な演算結果を格納するためのＲＡＭ７４と、外部装置に対してデータの入出力を媒介するＩ／Ｆ７８とで構成されており、これらは、データを転送するための信号線であるバス７９で相互にかつデータ授受可能に接続されている。
【００７４】
Ｉ／Ｆ７８には、外部装置として、ヒューマンインターフェースとしてデータの入力が可能なキーボードやマウス等からなる入力装置８０と、データやテーブル等をファイルとして格納する記憶装置８２と、画像信号に基づいて画面を表示する表示装置８４と、インターネット１９９に接続するための信号線とが接続されている。
【００７５】
記憶装置８２には、図１１に示すように、配信先アドレスを、携帯端末２００を識別するための識別情報と対応付けて登録した配信先アドレス登録テーブル６００が格納されている。図１１は、配信先アドレス登録テーブル６００のデータ構造を示す図である。
配信先アドレス登録テーブル６００には、図１１に示すように、各識別情報ごとに１つのレコードが登録されている。各レコードは、携帯端末２００の電話番号を識別情報として登録したフィールド６０２と、フィールド６０２の識別情報により識別される携帯端末２００のユーザが所有するユーザ端末４００への電子メールアドレスを配信先アドレスとして登録したフィールド６０４とを含んで構成されている。
【００７６】
図１１の例では、第１段目のレコードには、フィールド６０２に識別情報として「090-1234-5678」が、フィールド６０４に配信先アドレスとして「aaa@bbb.co.jp」がそれぞれ登録されている。これは、「090-1234-5678」の電話番号が割り当てられている携帯端末２００のユーザが所有するユーザ端末４００の電子メールアドレスが、「aaa@bbb.co.jp」であることを意味している。この識別情報および配信先アドレスは、携帯端末２００を購入した後、携帯端末２００のユーザが所定の手続きを行うことにより登録するものである。
【００７７】
ＣＰＵ７０は、マイクロプロセッシングユニットＭＰＵ等からなり、ＲＯＭ７２の所定領域に格納されている所定のプログラムを起動させ、そのプログラムに従って、図１２のフローチャートに示す配信先アドレス取得処理を実行するようになっている。図１２は、配信先アドレス取得処理を示すフローチャートである。
【００７８】
配信先アドレス取得処理は、ディジタルカメラ１００からの送信要求に応じて、カメラ位置情報および携帯端末位置情報に基づいて、ディジタルカメラ１００の位置を基準として所定範囲内（ディジタルカメラ１００を中心とした半径１０〔ｍ〕程度の円形領域内）に属する携帯端末２００のユーザの配信先アドレスを配信先アドレス登録テーブル６００から取得する処理であって、ＣＰＵ５０において実行されると、図１２に示すように、まず、ステップＳ３００に移行するようになっている。
【００７９】
ステップＳ３００では、配信先アドレスの送信要求を受信したか否かを判定し、配信先アドレスの送信要求を受信したと判定したとき(Yes)は、ステップＳ３０２に移行するが、そうでないと判定したとき(No)は、配信先アドレスの送信要求を受信するまでステップＳ３００で待機する。
ステップＳ３０２では、カメラ位置情報を受信し、ステップＳ３０４に移行して、すべての携帯端末２００について携帯端末位置情報を中継局３１０から取得する。具体的に、ステップＳ３０４では、配信先アドレス取得端末５００が、配信先アドレス登録テーブル６００に登録されているすべての識別情報を中継局３１０に送信し、中継局３１０が、受信した識別情報に対応する携帯端末位置情報を取得し、取得した携帯端末位置情報を配信先アドレス取得端末５００に送信するという手続を経ることにより、すべての携帯端末２００について携帯端末位置情報を中継局３１０から取得する。そして、各携帯端末位置情報は、配信先アドレス取得端末５００において識別情報と対応付けて管理される。
【００８０】
次いで、ステップＳ３０６に移行して、受信したカメラ位置情報および取得した携帯端末位置情報に基づいて、ディジタルカメラ１００の位置を基準として所定範囲内に属する携帯端末２００のユーザの配信先アドレスを配信先アドレス登録テーブル６００から検索する。具体的に、ステップＳ３０６では、ステップＳ３０４で取得した携帯端末位置情報のなかから、受信したカメラ位置情報により特定される位置を基準として所定範囲内に属する携帯端末２００の携帯端末位置情報を抽出し、抽出した携帯端末位置情報の識別情報に対応する配信先アドレスを配信先アドレス登録テーブル６００から検索する。
【００８１】
次いで、ステップＳ３０８に移行して、ステップＳ３０６の検索により索出した配信先アドレスをディジタルカメラ１００に送信し、一連の処理を終了して元の処理に復帰させる。
次に、上記第２の実施の形態の動作を説明する。
初めに、ディジタルカメラ１００で携帯端末２００のユーザを撮影する場合について説明する。
【００８２】
ディジタルカメラ１００で撮影を行うには、ディジタルカメラによる一般的な撮影方法と同様に、ディジタルカメラ１００のユーザは、図示しないファインダ越しから携帯端末２００のユーザがフレームに入るよう撮影位置を調整したのち、レリーズスイッチ４３を押下する。
ディジタルカメラ１００では、レリーズスイッチ４３が押下されると、撮影装置４２により、撮影データが生成され、ステップＳ１００〜Ｓ１０４を経て、生成された撮影データが取得され、取得された撮影データがＲＡＭ３４の所定領域に格納される。そして、ステップＳ１０６，Ｓ１０８を経て、カメラ位置情報が位置情報取得装置４５から取得され、配信先アドレスの送信要求が配信先アドレス取得端末５００に送信される。
【００８３】
配信先アドレス取得端末５００では、配信先アドレスの送信要求を受信すると、ステップＳ３００〜Ｓ３０４を経て、カメラ位置情報を受信し、すべての携帯端末２００について携帯端末位置情報が中継局３１０から取得される。そして、ステップＳ３０６，Ｓ３０８を経て、受信したカメラ位置情報および取得された携帯端末位置情報に基づいて、ディジタルカメラ１００の位置を基準として所定範囲内に属する携帯端末２００のユーザの配信先アドレスが配信先アドレス登録テーブル６００から検索され、その検索により索出された配信先アドレスがディジタルカメラ１００に送信される。
【００８４】
ディジタルカメラ１００では、配信先アドレスを受信すると、ステップＳ１１２，Ｓ１１４を経て、受信した配信先アドレスが撮影データと対応付けられてＲＡＭ３４の所定領域に格納される。こうした配信先アドレスの受信・格納は、配信先アドレスの送信要求が送信されてから所定時間が経過するまでの間、継続して行われる。
【００８５】
次に、ディジタルカメラ１００において撮影データをユーザに対して配信する場合について説明する。
撮影データをユーザに対して配信するには、ディジタルカメラ１００のユーザは、図示しない操作部を操作することにより配信指示を入力する。
ディジタルカメラ１００では、撮影データの配信指示が入力されると、ステップＳ１５０，Ｓ１５４を経て、撮影データおよびそれと対応付けられて格納された配信先アドレスがＲＡＭ３４から読み出され、読み出された配信先アドレスにより特定される宛先であるユーザ端末４００に撮影データが電子メール形式で配信される。
【００８６】
このようにして、ディジタルカメラ１００は、レリーズスイッチ４３が押下されたときは、カメラ位置情報を位置情報取得装置４５から取得し、取得したカメラ位置情報を送信要求とともに送信し、その送信要求の送信に伴って配信先アドレスを受信し、配信指示を入力したときは、受信した配信先アドレスにより特定される宛先に撮影データを電子メール形式で送信するようになっており、配信先アドレス取得端末５００は、カメラ位置情報を送信要求とともに受信したときは、携帯端末位置情報を中継局３１０から取得し、受信した撮影装置位置情報および取得した携帯端末位置情報に基づいて、ディジタルカメラ１００の位置を基準として所定範囲内に属する携帯端末２００に対応する配信先アドレスを配信先アドレス登録テーブル６００から取得し、取得した配信先アドレスをディジタルカメラ１００に送信するようになっている。
【００８７】
これにより、ディジタルカメラ１００の位置を基準として所定範囲内に属する携帯端末２００のユーザの配信先アドレスを、撮影データを提供しようとする相手方の配信先アドレスとみなして取得することができる。そのため、配信先アドレスの入力作業に要する手間や時間を低減することができるので、従来に比して、被写体となった者に対して撮影データを比較的手軽に提供することができる。
【００８８】
さらに、本実施の形態では、配信先アドレス取得端末５００は、携帯端末２００のユーザの配信先アドレスを取得するようになっており、ディジタルカメラ１００は、受信した配信先アドレスにより特定される宛先に撮影データを電子メール形式で配信するようになっている。
これにより、撮影したその場で、被写体となった者に対して撮影データを配信することができるので、ディジタルカメラ１００のユーザは、撮影のほかに送信作業を別に行わなくてすみ、被写体となった者に対して撮影データをさらに手軽に提供することができる。また、配信先アドレスの取得が配信先アドレス取得端末５００側で行われるので、携帯端末２００側で行う場合に比して、携帯端末２００の処理負荷を低減することができる。
【００８９】
上記第２の実施の形態において、配信先アドレスは、発明１、３、７または８の配信先情報に対応し、撮影データは、発明１の配信対象情報に対応し、カメラ位置情報は、発明３の指示端末位置情報、または発明７若しくは８の撮影装置位置情報に対応し、ディジタルカメラ１００は、発明１若しくは３の指示端末、または発明７若しくは８のディジタル撮影装置に対応している。また、配信先アドレス取得端末５００は、発明８の配信先情報取得端末に対応し、記憶装置８２は、発明１、３、７または８の記憶手段に対応し、中継局３１０は、発明３、７または８の携帯端末位置情報取得手段に対応し、位置情報取得装置４５は、発明３の指示端末位置情報取得手段、または発明７若しくは８の撮影装置位置情報取得手段に対応している。
【００９０】
また、上記第２の実施の形態において、ステップＳ３０２〜Ｓ３０６は、発明１、３、７または８の配信先情報取得手段に対応し、ステップＳ１５２，Ｓ１５４は、発明１、７または８の配信手段に対応している。
なお、上記第１および第２の実施の形態においては、ディジタルカメラ１００が携帯端末２００から配信先アドレスを取得して撮影データを配信する構成、および配信先取得端末５００が配信先アドレスを取得してディジタルカメラ１００が撮影データを配信する構成としたが、これに限らず、図１３ないし図１９に示すような構成とすることもできる。
【００９１】
まず、他の実施の形態として、図１３に示すように、第１のネットワークシステムを提案することができる。図１３は、他の実施の形態である第１のネットワークシステムの構成を示すブロック図である。
第１のネットワークシステムは、図１３に示すように、携帯端末２００と、ディジタルカメラ１００とを近距離無線通信により通信可能に接続して構成されている。
【００９２】
携帯端末２００は、近距離無線通信装置６１およびステップＳ２００〜Ｓ２０４の処理により実現される機能に相当する機能を有する無線ユニット２１０を備えている。
ディジタルカメラ１００は、近距離無線通信装置４１により実現される機能に相当する機能を有する無線ユニット１１０と、ステップＳ１０８，Ｓ１１２〜Ｓ１１６の処理により実現される機能に相当する機能を有する配信先アドレス取得部１２０と、撮影装置４２およびステップＳ１００〜Ｓ１０４の処理により実現される機能に相当する機能を有するデータ取得部１３０と、ステップＳ１５０〜Ｓ１５４の処理により実現される機能に相当する機能を有するデータ配信部１４０と、配信先アドレス取得部１２０で取得した配信先アドレスを編集する配信先アドレス編集部１５０とを備えている。
【００９３】
配信先アドレス編集部１５０は、複数の配信先アドレスを関連付けて登録した配信先アドレス関連テーブルを記憶しておき、配信先アドレス取得部１２０で取得した配信先アドレスに関連する配信先アドレスを配信先アドレス関連テーブルから検索し、その検索により索出した配信先アドレスを、配信先アドレス取得部１２０で取得した配信先アドレスに追加してデータ配信部１４０に出力するようになっている。
【００９４】
このような構成であれば、例えば、ユーザＡの配信先アドレスとユーザＢの配信先アドレスを関連付けて配信先アドレス関連テーブルに登録しておき、ディジタルカメラ１００でユーザＡが撮影されると、撮影データがユーザＡのほかにユーザＢに対しても配信される。
このように、新たな配信先アドレスを追加するのに限らず、配信先アドレスの変更または削除を行うように構成してもよい。また、配信先アドレスの追加、変更または削除を自動的に行うように構成してもよいが、これらをディジタルカメラ１００のユーザの選択により行うように構成してもよい。
【００９５】
この場合において、配信先アドレスは、発明１、２、４、５、１０または１１の配信先情報に対応し、撮影データは、発明１の配信対象情報に対応し、ディジタルカメラ１００は、発明４若しくは５のディジタル撮影装置、または発明１、２、１０若しくは１１の指示端末に対応している。また、配信先アドレス取得部１２０は、発明１、２、４、５または１０の配信先情報取得手段に対応し、データ配信部１４０は、発明１、４または５の配信手段に対応している。
【００９６】
次に、他の実施の形態として、図１４に示すように、第２のネットワークシステムを提案することができる。図１４は、他の実施の形態である第２のネットワークシステムの構成を示すブロック図である。なお、上記第１のネットワークシステムと共通する機能部については同一の符号を付して説明を省略する。
第２のネットワークシステムは、図１４に示すように、携帯端末２００と、ディジタルカメラ１００とを近距離無線通信により通信可能に接続して構成されている。
【００９７】
携帯端末２００は、無線ユニット２１０を備えている。
ディジタルカメラ１００は、無線ユニット１１０と、配信先アドレス取得部１２０と、データ取得部１３０と、データ配信部１４０と、データ取得部１３０で取得した撮影データを編集するデータ編集部１６０とを備えている。
データ編集部１６０は、データ取得部１３０で取得した撮影データと関連するデータ（画像データ、文書データその他データ等）をインターネット１９９上の他の端末から取得し、取得したデータを、データ取得部１３０で取得した撮影データに追加してデータ配信部１４０に出力するようになっている。
【００９８】
このような構成であれば、ディジタルカメラ１００でユーザが撮影されると、そのユーザに対しては、撮影データのほかに撮影データと関連するデータが配信される。
このように、新たなデータを追加するのに限らず、撮影データに代えて新たなデータの送信、または撮影データの変更若しくは一部削除を行うように構成してもよい。また、新たなデータの追加、新たなデータによる代替送信、または撮影データの変更若しくは一部削除を自動的に行うように構成してもよいが、これらをディジタルカメラ１００のユーザの選択により行うように構成してもよい。
【００９９】
この場合において、配信先アドレスは、発明１、２、４、５、１０または１１の配信先情報に対応し、撮影データは、発明１の配信対象情報に対応し、ディジタルカメラ１００は、発明４若しくは５のディジタル撮影装置、または発明１、２、１０若しくは１１の指示端末に対応している。また、配信先アドレス取得部１２０は、発明１、２、４、５または１０の配信先情報取得手段に対応し、データ配信部１４０は、発明１、４または５の配信手段に対応している。
【０１００】
次に、他の実施の形態として、図１５に示すように、第３のネットワークシステムを提案することもできる。図１５は、他の実施の形態である第３のネットワークシステムの構成を示すブロック図である。なお、上記第１および第２のネットワークシステムと共通する機能部については同一の符号を付して説明を省略する。
【０１０１】
第３のネットワークシステムは、図１５に示すように、携帯端末２００と、ディジタルカメラ１００とを近距離無線通信により通信可能に接続して構成されている。
携帯端末２００は、無線ユニット２１０を備えている。
ディジタルカメラ１００は、無線ユニット１１０と、配信先アドレス取得部１２０と、データ取得部１３０と、データ配信部１４０と、配信先アドレス編集部１５０と、データ編集部１６０とを備えている。
【０１０２】
この場合において、配信先アドレスは、発明１、２、４、５、１０または１１の配信先情報に対応し、撮影データは、発明１の配信対象情報に対応し、ディジタルカメラ１００は、発明４若しくは５のディジタル撮影装置、または発明１、２、１０若しくは１１の指示端末に対応している。また、配信先アドレス取得部１２０は、発明１、２、４、５または１０の配信先情報取得手段に対応し、データ配信部１４０は、発明１、４または５の配信手段に対応している。
【０１０３】
次に、他の実施の形態として、図１６に示すように、第４のネットワークシステムを提案することもできる。図１６は、他の実施の形態である第４のネットワークシステムの構成を示すブロック図である。なお、上記第１ないし第３のネットワークシステムと共通する機能部については同一の符号を付して説明を省略する。
【０１０４】
第４のネットワークシステムは、図１６に示すように、携帯端末２００と、配信先アドレス取得端末５００とを無線通信により通信可能に接続し、ディジタルカメラ１００と、配信先アドレス取得端末５００とを無線通信により通信可能に接続して構成されている。さらに、ディジタルカメラ１００のユーザが所有するパソコン７００と、ディジタルカメラ１００とを無線通信により通信可能に接続し、配信先アドレス取得端末５００と、パソコン７００とを無線通信により通信可能に接続して構成されている。
【０１０５】
ディジタルカメラ１００は、無線ユニット１１０と、データ取得部１３０とを備えており、携帯端末２００は、無線ユニット２１０を備えている。
配信先アドレス取得端末５００は、無線ユニット１１０，２１０により実現される機能に相当する機能を有する無線ユニット５１０と、配信先アドレス取得部１２０により実現される機能に相当する機能を有する配信先アドレス取得部５２０とを備えており、パソコン７００は、データ配信部１４０により実現される機能に相当する機能を有するデータ配信部７４０を備えている。
【０１０６】
これにより、配信先アドレスの取得が配信先アドレス取得端末５００側で行われるので、携帯端末２００側で行う場合に比して、携帯端末２００の処理負荷を低減することができる。また、撮影データの配信がパソコン７００側で行われるので、ディジタルカメラ１００側で行う場合に比して、ディジタルカメラ１００の処理負荷を低減することができる。
【０１０７】
この場合において、配信先アドレスは、発明１、３または７の配信先情報に対応し、撮影データは、発明１の配信対象情報に対応し、ディジタルカメラ１００は、発明７若しくは９のディジタル撮影装置、または発明１若しくは３の指示端末に対応している。また、パソコン７００は、発明９の配信端末に対応し、配信先アドレス取得部１２０は、発明１、３、７または９の配信先情報取得手段に対応し、データ配信部１４０は、発明１、７または９の配信手段に対応している。
【０１０８】
次に、他の実施の形態として、図１７に示すように、第５のネットワークシステムを提案することもできる。図１７は、他の実施の形態である第５のネットワークシステムの構成を示すブロック図である。なお、上記第１ないし第４のネットワークシステムと共通する機能部については同一の符号を付して説明を省略する。
【０１０９】
第５のネットワークシステムは、図１７に示すように、携帯端末２００と、ディジタルカメラ１００とを無線通信により通信可能に接続し、パソコン７００と、ディジタルカメラ１００とを無線通信により通信可能に接続して構成されている。
ディジタルカメラ１００は、無線ユニット１１０と、配信先アドレス取得部１２０と、データ取得部１３０とを備えており、携帯端末２００は、無線ユニット２１０を備えており、パソコン７００は、データ配信部７４０を備えている。
【０１１０】
これにより、撮影データの配信がパソコン７００側で行われるので、ディジタルカメラ１００側で行う場合に比して、ディジタルカメラ１００の処理負荷を低減することができる。
この場合において、配信先アドレスは、発明１、２、４、１０または１１の配信先情報に対応し、撮影データは、発明１の配信対象情報に対応し、ディジタルカメラ１００は、発明４若しくは６のディジタル撮影装置、または発明１、２、１０若しくは１１の指示端末に対応している。また、パソコン７００は、発明６の配信端末に対応し、配信先アドレス取得部１２０は、発明１、２、４、６または１０の配信先情報取得手段に対応し、データ配信部１４０は、発明１、４または６の配信手段に対応している。
【０１１１】
次に、他の実施の形態として、図１８に示すように、第６のネットワークシステムを提案することもできる。図１８は、他の実施の形態である第６のネットワークシステムの構成を示すブロック図である。なお、上記第１ないし第５のネットワークシステムと共通する機能部については同一の符号を付して説明を省略する。
【０１１２】
第６のネットワークシステムは、図１８に示すように、携帯端末２００と、配信先アドレス取得端末５００とを無線通信により通信可能に接続し、配信先アドレス取得端末５００と、ディジタルカメラ１００とを無線通信により通信可能に接続して構成されている。
ディジタルカメラ１００は、データ取得部１３０を備えており、携帯端末２００は、無線ユニット２１０を備えており、配信先アドレス取得端末５００は、無線ユニット５１０と、配信先アドレス取得部５２０と、データ配信部１４０により実現される機能に相当する機能を有するデータ配信部５４０とを備えている。
【０１１３】
これにより、配信先アドレスの取得および撮影データの配信が配信先アドレス取得端末５００側で行われるので、携帯端末２００またはディジタルカメラ１００側で行う場合に比して、携帯端末２００またはディジタルカメラ１００の処理負荷を低減することができる。また、携帯端末２００またはディジタルカメラ１００に追加する回路等が少なくてすむので、携帯端末２００またはディジタルカメラ１００の製造コストを低減することができる。
【０１１４】
この場合において、配信先アドレスは、発明１、３または７の配信先情報に対応し、撮影データは、発明１の配信対象情報に対応し、ディジタルカメラ１００は、発明７若しくは９のディジタル撮影装置、または発明１若しくは３の指示端末に対応している。また、配信先アドレス取得端末５００は、発明９の配信端末に対応し、配信先アドレス取得部１２０は、発明１、３、７または９の配信先情報取得手段に対応し、データ配信部１４０は、発明１、７または９の配信手段に対応している。
【０１１５】
次に、他の実施の形態として、図１９に示すように、第７のネットワークシステムを提案することもできる。図１９は、他の実施の形態である第７のネットワークシステムの構成を示すブロック図である。なお、上記第１ないし第６のネットワークシステムと共通する機能部については同一の符号を付して説明を省略する。
【０１１６】
第７のネットワークシステムは、図１９に示すように、携帯端末２００と、ディジタルカメラ１００とを無線により通信可能に接続し、ディジタルカメラ１００をインターネット１９９に接続して構成されている。
ディジタルカメラ１００は、無線ユニット１１０と、配信先アドレス取得部１２０と、インターネット１９９からデータを取得するデータ取得部１３５と、データ配信部１４０とを備えており、携帯端末２００は、無線ユニット２１０を備えている。
【０１１７】
この場合において、配信先アドレスは、発明１または２の配信先情報に対応し、撮影データは、発明１の配信対象情報に対応し、ディジタルカメラ１００は、発明１または２の指示端末に対応し、配信先アドレス取得部１２０は、発明１または２の配信先情報取得手段に対応している。また、データ配信部１４０は、発明１の配信手段に対応している。
【０１１８】
また、上記第１および第２の実施の形態においては、ディジタルカメラ１００で生成した撮影データを、被写体となった携帯端末２００のユーザに対して配信するように構成したが、これに限らず、例えば、携帯端末で取得または作成したデータを、その付近にいる携帯端末２００のユーザに対して配信するように構成してもよい。この場合、データを取得または作成する携帯端末が、上記実施の形態におけるディジタルカメラ１００に相当する。
【０１１９】
また、上記第１および第２の実施の形態においては、携帯端末２００のユーザが所有するユーザ端末４００に撮影データを配信するように構成したが、これに限らず、撮影データを携帯端末２００に直接配信するように構成してもよい。もちろん、ユーザ端末４００および携帯端末２００以外の他の端末に配信するように構成してもよい。要するに、配信先アドレスの設定は、任意に行うことができる。
【０１２０】
また、上記第１および第２の実施の形態において、図３、図４、図６、図９および図１２のフローチャートに示す処理を実行するにあたってはいずれも、ＲＯＭ３２，５２，７２にあらかじめ格納されている制御プログラムを実行する場合について説明したが、これに限らず、これらの手順を示したプログラムが記憶された記憶媒体から、そのプログラムをＲＡＭ３４，５４，７４に読み込んで実行するようにしてもよい。
【０１２１】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１２２】
また、上記第１および第２の実施の形態においては、本発明に係る情報配信システム、指示端末および携帯端末を、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、通常のネットワークに適用することもできる。
【０１２３】
また、上記第１および第２の実施の形態においては、本発明に係る情報配信システム、指示端末および携帯端末を、図１に示すように、ディジタルカメラ１００で生成した撮影データを、被写体となった携帯端末２００のユーザに対して配信する場合について適用したが、これに限らず、本発明の主旨を逸脱しない範囲で他の場合にも適用可能である。
【０１２４】
【発明の効果】
以上説明したように、発明１ないし３の情報配信システムによれば、指示端末の位置を基準として所定範囲内に属する携帯端末のユーザの配信先情報を、配信対象情報を提供しようとする相手方の配信先情報とみなして取得することができる。そのため、配信先情報の入力作業に要する手間や時間を低減することができるので、従来に比して、配信対象情報を提供しようとする相手方に対して配信対象情報を比較的手軽に提供することができるという効果が得られる。
【０１２５】
さらに、発明４ないし６の情報配信システムによれば、ディジタル撮影装置の位置を基準として近距離無線通信の通信範囲内に属する携帯端末のユーザの配信先情報を、撮影データを提供しようとする相手方の配信先情報とみなして取得することができる。そのため、配信先情報の入力作業に要する手間や時間を低減することができるので、従来に比して、被写体となった者に対して撮影データを比較的手軽に提供することができるという効果が得られる。
【０１２６】
さらに、発明５の情報配信システムによれば、撮影したその場で、被写体となった者に対して撮影データを配信することができるので、撮影のほかに送信作業を別に行わなくてすみ、被写体となった者に対して撮影データをさらに手軽に提供することができるという効果も得られる。
さらに、発明６の情報配信システムによれば、撮影データの配信が配信端末側で行われるので、携帯端末側で行う場合に比して、携帯端末の処理負荷を低減することができるという効果も得られる。
【０１２７】
さらに、発明７ないし９の情報配信システムによれば、ディジタル撮影装置の位置を基準として所定範囲内に属する携帯端末のユーザの配信先情報を、撮影データを提供しようとする相手方の配信先情報とみなして取得することができる。そのため、配信先情報の入力作業に要する手間や時間を低減することができるので、従来に比して、被写体となった者に対して撮影データを比較的手軽に提供することができるという効果が得られる。
【０１２８】
さらに、発明８の情報配信システムによれば、撮影したその場で、被写体となった者に対して撮影データを配信することができるので、撮影のほかに送信作業を別に行わなくてすみ、被写体となった者に対して撮影データをさらに手軽に提供することができるという効果も得られる。また、配信先情報の取得が配信先情報取得端末側で行われるので、携帯端末側で行う場合に比して、携帯端末の処理負荷を低減することができるという効果も得られる。
【０１２９】
さらに、発明９の情報配信システムによれば、配信先情報の取得および撮影データの配信が配信端末側で行われるので、携帯端末側で行う場合に比して、携帯端末の処理負荷を低減することができるという効果も得られる。
一方、発明１０の指示端末によれば、発明２の情報配信システムと同等の効果が得られる。
【０１３０】
一方、発明１１の携帯端末によれば、発明２の情報配信システムと同等の効果が得られる。
【図面の簡単な説明】
【図１】本発明を適用するネットワークシステムの構成を示すブロック図である。
【図２】ディジタルカメラ１００の構成を示すブロック図である。
【図３】配信先アドレス取得処理を示すフローチャートである。
【図４】撮影データ配信処理を示すフローチャートである。
【図５】携帯端末２００の構成を示すブロック図である。
【図６】配信先アドレス送信処理を示すフローチャートである。
【図７】本発明を適用するネットワークシステムの構成を示すブロック図である。
【図８】ディジタルカメラ１００の構成を示すブロック図である。
【図９】配信先アドレス要求処理を示すフローチャートである。
【図１０】配信先アドレス取得端末５００の構成を示すブロック図である。
【図１１】配信先アドレス登録テーブル６００のデータ構造を示す図である。
【図１２】配信先アドレス取得処理を示すフローチャートである。
【図１３】他の実施の形態である第１のネットワークシステムの構成を示すブロック図である。
【図１４】他の実施の形態である第２のネットワークシステムの構成を示すブロック図である。
【図１５】他の実施の形態である第３のネットワークシステムの構成を示すブロック図である。
【図１６】他の実施の形態である第４のネットワークシステムの構成を示すブロック図である。
【図１７】他の実施の形態である第５のネットワークシステムの構成を示すブロック図である。
【図１８】他の実施の形態である第６のネットワークシステムの構成を示すブロック図である。
【図１９】他の実施の形態である第７のネットワークシステムの構成を示すブロック図である。
【符号の説明】
１００                    ディジタルカメラ
２００                    携帯端末
１９９                    インターネット
３１０                    中継局
４００                    ユーザ端末
５００                    配信先アドレス取得端末
６００                    配信先アドレス登録テーブル
３０，５０，７０          ＣＰＵ
３２，５２，７２          ＲＯＭ
３４，５４，７４          ＲＡＭ
４１，６１                近距離無線通信装置
４２                      撮影装置
４３                      レリーズスイッチ
４５                      位置情報取得装置
６２                      キーパネル
８２                      記憶装置
１１０，２１０，５１０    無線ユニット
１２０，５２０            配信先アドレス取得部
１３０，１３５            データ取得部
１４０，５４０，７４０    データ配信部
１５０                    配信先アドレス編集部
１６０                    データ編集部
７００                    パソコン
【図１】
0004045744.tif 000002
【図２】
0004045744.tif 000003
【図３】
0004045744.tif 000004
【図４】
0004045744.tif 000005
【図５】
0004045744.tif 000006
【図６】
0004045744.tif 000007
【図７】
0004045744.tif 000008
【図８】
0004045744.tif 000009
【図９】
0004045744.tif 000010
【図１０】
0004045744.tif 000011
【図１１】
0004045744.tif 000012
【図１２】
0004045744.tif 000013
【図１３】
0004045744.tif 000014
【図１４】
0004045744.tif 000015
【図１５】
0004045744.tif 000016
【図１６】
0004045744.tif 000017
【図１７】
0004045744.tif 000018
【図１８】
0004045744.tif 000019
【図１９】
0004045744.tif 000020